(57)【要約】【課題】「ワン切り」等の事業者からの使用者が心当たりのない発信者番号へのかけ直しを防止できるようにすること。【解決手段】制御部１２は、着信時に、タイマ１２により一定時間の計時を行い、着信時間が一定時間以内または未満の場合には、「ワン切り」等の使用者が心当たりのない不要な発信者番号としてＲＡＭ１８の着信履歴に記憶しないようにすることにより、使用者が心当たりのない不要な発信者番号を履歴表示として表示部１５に表示しないようにする。一方、着信時間が一定時間以上であり、操作部１６のオフフック操作がなされない場合には、ＲＡＭ１８の着信履歴に記憶して、操作部１６の操作により、表示部１５に通常の着信履歴として表示するようにする。【選択図】　図１
2004120560.tif 000002
【特許請求の範囲】
【請求項１】
着信時に送信されてきた発信者番号を記憶し、前記記憶した発信者番号を表示する携帯無線端末において、
前記発信者番号の着信時に一定時間を計時し、着信時間が一定時間に満たない場合には、前記発信者番号を前記記憶手段に記憶しないことを特徴とする携帯無線端末。
【請求項２】
着信時に送信されてきた発信者番号を記憶する第１の記憶手段と、前記記憶手段に記憶された発信者番号を表示する表示手段とを有する携帯無線端末において、
前記発信者番号の着信時に一定時間を計時し、着信時間が一定時間に満たない場合には、前記発信者番号を第２の記憶手段に記憶することを特徴とする携帯無線端末。
【請求項３】
第２の記憶手段に記憶された発信者番号を表示する際に、第１の記憶手段に記憶されている発信者番号とは異なる表示形態で表示することを特徴とする携帯無線端末。
【請求項４】
予め電話番号と当該電話番号に対応する名前を記憶する第１の記憶手段と、着信時に送信されてきた発信者番号を記憶する第２の記憶手段と、前記第１の記憶手段に記憶した名前及び電話番号、又は、前記第２の記憶手段に記憶された発信者番号を表示する表示手段を有する携帯無線端末において、
前記発信者番号の着信時に一定時間を計時するとともに、前記発信者番号が前記第１の記憶手段に記憶されているか否かを判断し、前記発信者番号の着信時間が一定時間を満たさず、更に前記発信者番号が前記第１の記憶手段に記憶されていない場合には、前記発信者番号を前記第２の記憶手段に記憶しないことを特徴とする携帯無線端末。
【発明の詳細な説明】
【０００１】
【発明の属する技術分野】
本発明は、発信者番号を記憶しておく着信履歴機能を有するＰＨＳや携帯電話機等の携帯無線端末に関するものであり、特に、携帯無線端末において、使用者が不要な発信者番号を着信履歴に記憶しない、又は、不要な発信者番号であることを認識できるように着信履歴に記憶するようにして、使い勝手を向上した携帯無線端末に関するものである。
【０００２】
【従来の技術】
従来のＰＨＳや携帯電話機等の携帯無線端末では、自己宛の着信を受けると、発信者の発信者番号を着信日時と共に着信履歴として記憶しておき、この着信履歴を使用者の操作により表示するようになっている。また、この着信履歴で表示される発信者番号を用いて発呼動作を行うようにしており、発呼動作を容易にするようにしている。
【０００３】
また、この着信履歴には、電話に出られなかったり、電話に出る前に発信者が切ってしまったときなどに、上記発信者番号と共に不在着信であることを示す情報が記憶され、着信履歴の表示の際に、発信者番号の表示と共に不在着信であることを示す情報（例えば、「不在」）を表示するようになっている。
【０００４】
具体的には、無線端末において、予め複数の発信者番号及びそれぞれに対応する発信者名とを発信者名記憶装置に記憶しておき、着信した発信者番号データが、発信者名記憶装置に記憶されている発信者番号のときには対応する発信者名を表示し、発信者名記憶装置に記憶されていないときには発信者番号データの表示を行い、また、使用者が不在中に送信された発信者番号データを受信すると、着信順に受信した発信者番号データを発信者番号データ記憶装置に記憶しておき、不在中に受信した発信者番号データを表示する際に、発信者番号データが、発信者名記憶装置に記憶されている発信者番号のときには対応する名前を表示し、発信者名記憶装置に記憶されていないときには発信者番号データの表示を行っている（例えば、特許文献１参照。）。
【０００５】
【特許文献１】
特開平０５−１４５９６５号公報（第４〜５頁、第１図及び第２図）
【０００６】
また、予め複数の発信者番号及びそれぞれに対応する発信者名とを発信者名記憶装置に記憶しておき、着信した発信者番号データが、発信者名記憶装置に記憶されている発信者番号のときには対応する発信者名を表示すると共に着信音Ａで鳴音し、発信者名記憶装置に記憶されていないときには発信者番号データの表示すると共に着信音Ｂで鳴音を行い、また、使用者が不在中に送信された発信者番号データを受信すると、着信順に受信した発信者番号データを発信者番号データ記憶装置に記憶しておき、不在中に受信した発信者番号データを表示する際に、発信者番号データが、発信者名記憶装置に記憶されている発信者番号のときには対応する名前を表示し、発信者名記憶装置に記憶されていないときには発信者番号データの表示を行っている（例えば、特許文献２参照。）。
【０００７】
【特許文献２】
特開平０６−１４１０６８号公報（第４〜６頁、第１図及び第２図）
【０００８】
また、携帯端末において、着信履歴を、発信者番号通知がありでメモリダイヤル（電話帳）に登録あり番号と、発信者番号通知ありでメモリダイヤルに登録がない番号と、発信者番号を相手に通知しない非通知の番号と、公衆電話の電話番号等の種類別に分類可能に記憶して、種類別に着信履歴の表示を行っている（例えば、特許文献３参照。）。
【０００９】
【特許文献３】
特開２００２−１１１７９８号公報（第４〜６頁、第１図及び第２図）
【００１０】
【発明が解決しようとする課題】
しかしながら、近年、「ワン切り」を呼ばれる悪質なサービスが流行している。この「ワン切り」とは、携帯電話機の着信履歴機能を利用したものである。
より具体的に説明すると、この「ワン切り」は、通常の着信とは異なり、サービス業社が着信をワンコール等の短時間で電話を切ってしまうため、携帯電話機の使用者は電話をオフフックする前に電話が切れてしまうか、もしくは電話に気付かずに、携帯電話機の着信履歴に発信者番号が記憶され、使用者は着信履歴に記憶されている発信者番号の相手を確認するために、この発信者番号を用いて電話をかけ直すと、悪質な有料サイト等に繋がってしまい、結果的に使用者はサービス業者から高額な請求を受けてしまうというものである。
【００１１】
この「ワン切り」に対して、携帯電話機の使用者は、心当たりのない発信者番号には電話をかけ直さない、心当たりのない発信者番号の着信にリダイヤルするときには、携帯電話機の電話番号通知を非通知にしてから電話をかける等の防止策を行っている。
しかしながら、従来の携帯電話機等の携帯無線端末では、着信履歴に使用者が心当たりのない不要な発信者番号が記憶されてしまうという問題点があった。
また、従来の携帯電話機等の携帯無線端末では、着信履歴に記憶されている発信者番号が通常の着信なのか、「ワン切り」等の着信なのか区別することができないという問題点があった。
【００１２】
本発明は、このような実情に鑑みてなされたものであり、その目的は、使用者が心あたりのない不要な発信者番号を着信履歴に記憶しないようにする携帯無線端末を提供することにある。
また、他の目的として、使用者が心当たりのない不要な発信者番号の着信を通常の着信とは異なる着信履歴として記憶することにより、使用者に対して使用者の心当たりのない不要な発信者番号であることを認識できるようにする携帯無線端末を提供することにある。
【００１３】
【課題を解決するための手段】
上記課題を解決するために、本発明の携帯無線端末は、着信時に一定時間を計時し、着信時間が一定時間に満たない場合には、発信者番号を記憶手段に記憶しないことを特徴としており、使用者が心当たりのない不要な発信者番号を記憶しないようにしているため、悪質なサービス業者へのかけ直しを防止することができる。
【００１４】
また、本発明の携帯無線端末は、着信時に一定時間を計時し、着信時間が一定時間に満たない場合には、前記発信者番号を第２の記憶手段に記憶するようにしているため、使用者が心当たりのない不要な発信者番号であることを認識することができるため、悪質なサービス業者へのかけ直しを防止することができる。
【００１５】
また、本発明の携帯無線端末は、第２の記憶手段に記憶された発信者番号を表示する際に、第１の記憶手段に記憶されている発信者番号とは異なる表示形態で表示するようにしているため、通常の着信の履歴表示と、使用者が心当たりのない不要な発信者番号とを視覚により認識することができる。
【００１６】
また、本発明の携帯無線端末は、着信時に一定時間を計時するとともに、発信者番号が第１の記憶手段に記憶されているか否かを判断し、発信者番号の着信時間が一定時間を満たさず、更に発信者番号が前記第１の記憶手段に記憶されていない場合には、前記発信者番号を前記第２の記憶手段に記憶しないようにしているため、例えば、通常の着信であるが電波の使用状況等により切れてしまった場合でも、メモリダイヤル（電話帳）等の第１の記憶手段に記憶されている時には着信履歴に記憶するようにしているため、使用者が心当たりのある必要な発信者番号を着信履歴に残すことができる。
【００１７】
【発明の実施の形態】
以下、図面を用いて本発明におけるＰＨＳや携帯電話等の携帯無線端末を携帯電話機を一例として第１実施例について説明する。
尚、以下で説明する機能実現手段は、当該機能を実現できる手段であれば、どのような回路または装置であっても構わず、また機能の一部または全部をソフトウェアで実現することも可能である。さらに機能実現手段を複数の回路によって実現してもよく、複数の機能実現手段を単一の回路で実現してもよい。
【００１８】
図１は、本発明における携帯電話機の構成を示すブロック図の一例である。図１において、本発明の携帯電話機は、無線信号の送受を行うアンテナ１０と、無線信号をアンテナを介しての送信及び受信を行う無線送受信部１１と、通話音声の処理を行ったり受話音量の調整をしたりする音声処理部１２と、音声を出力するスピーカ１３と、音声を入力するマイク１４と、ＬＣＤ等のディスプレイ画面に受信した情報や発信者番号や着信履歴等を表示する表示部１５と、当該装置の操作やデータの入力等を行う操作部１６と、当該装置を制御するためのプログラム等を記憶するＲＯＭ１７と、一時的なデータを記憶するＲＡＭ１８と、時間を計時するタイマ１９と、上記各部を制御する制御部２０から構成されている。
【００１９】
このような構成により、制御部２０が着信時に、無線送受信部１１によって受信した発信者番号を受信順に着信履歴としてＲＡＭ１８に記憶し、操作部１６の操作により、表示部１５にＲＡＭ１８に記憶されている着信履歴の発信者番号を着信順に表示することができる。
また、制御部２０が、着信時にタイマ１９により一定時間を計時し、その着信時間が一定時間以内または未満の場合には、着信時に送信相手から送信された発信者番号をＲＡＭ１８に着信履歴として記憶しないように制御を行うことができる。
ここでは、タイマ１９と制御部２０とを有しているが、制御部２０にタイマ機能を設け、タイマ１９と制御部２０とを一体の構成としても構わない。
【００２０】
次に、本発明の第１実施例の携帯電話機における着信時の動作を説明する。図２は、本発明の第１実施例の携帯電話機における着信時の処理動作を示すフローチャートである。
まず、制御部２０は、待ち受け状態時に（ステップＳ２０１）、着信があると（ステップＳ２０２）、タイマ１９を起動して（ステップＳ２０３）一定時間の計時を行う（ステップＳ２０４）。そして、一定時間経過後にその着信動作が行われているか否かを判断し（ステップＳ２０５）、着信動作が行われていない場合には、不要な発信者番号であると判断してこの発信者番号をＲＡＭ１８の着信履歴に記憶せずに処理を終了する（ステップＳ２０６）。すなわち、着信時間が所定の一定時間以内または未満の発信者番号を不要な発信者番号としてＲＡＭ１８の着信履歴に記憶しないようにしている。
【００２１】
また、制御部２０は、上記ステップＳ２０５で一定時間経過しても着信動作が続いている場合には、次に操作部１６の操作によりオフフック操作がされたか否かを判断し（ステップＳ２０７）、オフフック操作がされた場合には、通話処理を行い（ステップＳ２０８）、一方、オフフック操作がされない場合には、発信者番号と使用者が電話に出られなかったことを示す情報（例えば、「不在」等）とを上記ＲＡＭ１８の着信履歴に記憶して処理を終了する（ステップＳ２０９）。そして、着信履歴の表示の際には、発信者番号とともに記憶されている情報（例えば「不在」）等が表示される。
【００２２】
このようにすることにより、一定時間以内または未満に着信が終わる処理を「ワン切り」を行うサービス事業者からの発信者番号とみなし、着信履歴に記憶しないことで、使用者が着信履歴を確認する際に、使用者が心当たりのない不要な発信者番号が表示されないため、「ワン切り」を行うサービス事業者に電話をかけ直してしまうことを防止することができる。
【００２３】
次に、本発明の第２実施例に係る携帯電話既を図面参照して説明する。図３には、本発明の第２実施例の携帯電話機の一例を示してあり、この携帯電話機では、例えば上記図１に示した携帯電話機のＲＡＭ１８の代わりに、第１メモリ３０と第２メモリ３１を備えた構成であり、他の構成部分１０〜１７及び１９については上記図１と同様であるため、本例では、これら他の構成部分１０〜１７及び１９についての説明は省略する。また、本例では、説明の便宜上から、上記図１に示した携帯電話機の各構成部分１０〜１７及び１９と同様な構成部分については上記図１に示した場合と同じ符号を用いて本例の携帯電話機の構成等を説明している。
【００２４】
図３の第２実施例の携帯電話機は、通常の着信時の発信者番号を着信履歴として記憶する第１メモリ３０と、着信時にタイマ１９により一定時間を計時し、その着信時間が一定時間以内または未満の場合には、着信時に送信相手から送信された発信者番号を着信履歴として記憶する第２メモリ３１とを備えている。
【００２５】
すなわち、第２実施例の携帯電話機は、通常の着信時の発信者番号の着信履歴と、使用者が心当たりのない不要な発信者番号の着信履歴とを異なるメモリに記憶するように構成されているため、使用者は、通常の着信時の発信者番号の着信履歴表示と使用者が心当たりのない不要な発信者番号の着信履歴表示とを認識することが可能となり、「ワン切り」を行うサービス事業者に電話をかけ直してしまうことを防止することができる。
また、通常の着信時の発信者番号の着信履歴表示と使用者が心当たりのない不要な発信者番号の着信履歴表示と表示する際に、使用者が区別できるように、異なる表示形態で表示するようにしておけば、上記メモリを分けずに１つのメモリに着信順に記憶しても、使用者は、心当たりのない不要な発信者番号の着信履歴として認識が可能となり、「ワン切り」を行うサービス事業者に電話をかけ直してしまうことを防止することができる。
【００２６】
次に、本発明の第２実施例の携帯電話機における着信時の動作を説明する。図４は、本発明の第２実施例の携帯電話機における着信時の処理動作を示すフローチャートである。
まず、制御部３２は、待ち受け状態時に（ステップＳ４０１）、着信があると（ステップＳ４０２）、タイマ１９を起動して（ステップＳ４０３）、一定時間の計時を行う（ステップＳ４０４）。そして、一定時間経過後にその着信動作が行われているか否かを判断し（ステップＳ４０５）、着信動作が行われていない場合には、不要な発信者番号であると判断してこの発信者番号を第２メモリ３１に着信履歴として記憶して処理を終了する（ステップＳ４０６）。すなわち、着信時間が所定の一定時間以内または未満の発信者番号を不要な発信者番号として不要な発信者番号を記憶するための第２メモリ３１に着信履歴として記憶するようにしている。
【００２７】
また、制御部３２は、上記ステップＳ４０５で一定時間経過しても着信動作が続いている場合には、次に操作部１６の操作によりオフフック操作がされたか否かを判断し（ステップＳ４０７）、オフフック操作がされた場合には、通話処理を行い（ステップＳ２０８）、一方、オフフック操作がされない場合には、発信者番号と使用者が電話に出られなかったことを示す情報（例えば、「不在」等）とを上記第１メモリ３０の着信履歴に記憶して処理を終了する（ステップＳ２０９）。そして、着信履歴の表示の際には、発信者番号とともに記憶されている情報（例えば「不在」）等が表示される。
【００２８】
このようにすることにより、一定時間以内または未満に着信が終わる処理を「ワン切り」を行うサービス事業者からの発信者番号とみなし、使用者が心当たりのない不要な発信者番号として第２メモリ３１の着信履歴に記憶することで、使用者が着信履歴を確認する際には、通常の着信の発信者番号の着信履歴と使用者が心当たりのない不要な発信者番号の着信履歴とをそれぞれ別々に表示することが可能となるため、「ワン切り」を行うサービス事業者に電話をかけ直してしまうことを防止することができる。
また、上記第２の実施例では、第１メモリ３０と第２メモリ３１とを別々のメモリで構成しているが、１つのメモリを、通常の着信の発信者番号の着信履歴を記憶する領域と使用者が心当たりのない不要な発信者番号の着信履歴を記憶する領域とに分けて、記憶するようにしても構わない。
また、通常の着信における発信者番号表示と使用者が心当たりのない不要な発信番号表示とを異なる表示形態とすることにより、視覚により不要な発信者番号を認識することが容易となる。
【００２９】
次に、本発明の第３実施例に係る携帯電話既を図面参照して説明する。図５には、本発明の第３実施例の携帯電話機の一例を示してあり、この携帯電話機では、例えば上記図１に示した携帯電話機にメモリダイヤル（電話帳）５０を備えた構成であり、他の構成部分１０〜１７及び１９については上記図１と同様であるため、本例では、これら他の構成部分１０〜１７及び１９についての説明は省略する。また、本例では、説明の便宜上から、上記図１に示した携帯電話機の各構成部分１０〜１７及び１９と同様な構成部分については上記図１に示した場合と同じ符号を用いて本例の携帯電話機の構成等を説明している。
【００３０】
図５の第３実施例の携帯電話機は、予め使用者が電話番号とこの電話番号に対応する名前とを記憶しておくメモリダイヤル（電話帳）５０を備えている。
そして、このリダイヤルに記憶されている電話番号をもとに、使用者が必要な発番号であるか否かを判断する。
すなわち、第３実施例の携帯電話機は、着信時にタイマ１９により一定時間を計時し、その着信時間が一定時間以内または未満の場合には、次に、着信時の発信者番号がメモリダイヤル５０に記憶されているか否かの判断を行い、メモリダイヤル５０に記憶されているないときには、使用者が心当たりのない不要な発信者番号であると認識して、着信履歴に記憶しないようにしている。
このようにすることにより、使用者にとって必要な着信が、電波状態等の状況により一定時間が経過する前に切れてしまった場合であっても、発信者番号を着信履歴に記憶することが可能となり、更に、使用者が心当たりのない不要な発信者番号は着信履歴に記憶しないようにしているため、「ワン切り」を行うサービス事業者に電話をかけ直してしまうことを防止することができる。
【００３１】
次に、本発明の第３実施例の携帯電話機における着信時の動作を説明する。図６は、本発明の第３実施例の携帯電話機における着信時の処理動作を示すフローチャートである。
まず、制御部５１は、待ち受け状態時に（ステップＳ６０１）、着信があると（ステップＳ６０２）、タイマ１９を起動して（ステップＳ６０３）、一定時間の計時を行う（ステップＳ６０４）。そして、一定時間経過後にその着信動作が行われているか否かを判断し（ステップＳ６０５）、着信動作が行われていない場合には、次に、着信時発信者番号がメモリダイヤル５０に記憶されているか否かの判断を行う（ステップＳ６０６）。
【００３２】
上記ステップＳ６０６の判断の結果、メモリダイヤル５０に一致する電話番号が記憶されていない場合には、不要な発信者番号であるとして判断して、この発信者番号をＲＡＭ１８の着信履歴に記憶せずに処理を終了し（ステップＳ６０８）、一方、メモリダイヤル５０に一致する電話番号が記憶されている場合には、上記ＲＡＭ１８の着信履歴に着信した発信者番号と一致する電話番号に対応する名前等とを記憶して処理を終了する。すなわち、着信時間が所定の一定時間以内または未満の発信者番号であって、さらにメモリダイヤル５０に登録されていない電話番号は使用者が心当たりのない不要な発信者番号としてＲＡＭ１８に記憶しないようにし、着信時間が所定の一定時間以内または未満であっても、メモリダイヤル（電話帳）に登録されいる電話番号は使用者が必要とする通常の着信として発信者番号をＲＡＭ１８の着信履歴に記憶するようにしている。
【００３３】
また、制御部５１は、上記ステップＳ６０５で一定時間経過しても着信動作が続いている場合には、次に操作部１６の操作によりオフフック操作がされたか否かを判断し（ステップＳ６０９）、オフフック操作がされた場合には、通話処理を行い（ステップ６１０）、一方、オフフック操作がされない場合には、次に、着信時発信者番号がメモリダイヤル５０に記憶されているか否かの判断を行う（ステップＳ６１１）。
【００３４】
上記ステップＳ６１１の判断の結果、メモリダイヤル５０に一致する電話番号が記憶されている場合には、発信者番号と使用者が電話に出られなかったことを示す情報（例えば、「不在」等）と一致する電話番号に対応する名前等とを上記ＲＡＭ１８の着信履歴に記憶指定処理を終了し（ステップＳ６１２）、一方、メモリダイヤル５０に一致する電話番号が記憶されていない場合には、発信者番号と使用者が電話に出られなかったことを示す情報（例えば、「不在」等）とを上記ＲＡＭ１８の着信履歴に記憶して処理を終了する（ステップＳ６１３）。そして、着信履歴の表示の際には、発信者番号とともに記憶されている情報（例えば「不在」、「名前」）等が表示される。
【００３５】
このようにすることにより、一定時間以内または未満に着信が終わる処理でありメモリダイヤルに記憶されていない発信者番号を「ワン切り」を行うサービス事業者からの発信者番号とみなし、着信履歴に記憶しないことで、使用者が着信履歴を確認する際に、使用者が心当たりのない不要な発信者番号が表示されないため、「ワン切り」を行うサービス事業者に電話をかけ直してしまうことを防止することができる。
また、一定時間以内または未満に着信が終わる処理であるがメモリダイヤルに記憶されている発信者番号は、使用者が必要とする着信であるため、着信履歴に残すことにより、着信履歴の確認の際に連絡をすることができる。
【００３６】
【発明の効果】
以上説明したように、本発明によれば、着信時に一定時間を計時し、着信時間が一定時間に満たない場合には、発信者番号を着信履歴に記憶しない携帯無線端末としているので、使用者が心当たりのない不要な発信者番号を記憶しないようにしているため、表示する際に、着信履歴として、使用者が心当たりのない不要な発信者番番号が表示されないため、悪質なサービス業者へのかけ直しを防止することができるという効果がある。
【００３７】
また、本発明によれば、着信時に一定時間を計時し、着信時間が一定時間に満たない場合には、この着信の発信者番号を通常の着信履歴とは異なるメモリに記憶する携帯無線端末としているので、使用者が心当たりのない不要な発信者番号であることを認識することができるため、悪質なサービス業者へのかけ直しを防止することができるという効果がある。
【００３８】
また、本発明によれば、着信時に一定時間を計時するとともに、発信者番号がメモリダイヤルに記憶されているか否かを判断し、発信者番号の着信時間が一定時間を満たさず、更に発信者番号がメモリダイヤルに記憶されていない場合には、発信者番号を着信履歴に記憶しないようにしているため、例えば、通常の着信であるが電波の使用状況等により切れてしまった場合でも、メモリダイヤル（電話帳）等に記憶されている時には着信履歴に記憶するようにしているため、使用者が心当たりのある必要な発信者番号を着信履歴に残すことができ、使用者が心当たりのない不要な発信者番号であることを認識することができるため、悪質なサービス業者へのかけ直しを防止することができるという効果がある。
【図面の簡単な説明】
【図１】本発明の第１実施例に係る携帯電話機の構成を示すブロック図である。
【図２】本発明の第１実施例に係る携帯電話機の着信時の処理の流れを示すフローチャート図である。
【図３】本発明の第２実施例に係る携帯電話機の構成を示すブロック図である。
【図４】本発明の第２実施例に係る携帯電話機の着信時の処理の流れを示すフローチャート図である。
【図５】本発明の第３実施例に係る携帯電話機の構成を示すブロック図である。
【図６】本発明の第３実施例に係る携帯電話機の着信時の処理の流れを示すフローチャート図である。
【符号の説明】
１０…アンテナ、１１…無線受信部、１２…音声処理部、１３…スピーカ、
１４…マイク、１５…表示部、１６…操作部、１７…ＲＯＭ、１８…ＲＡＭ、
１９…タイマ、２０、３２、５１…制御部、３０…第１メモリ、
３１…第２メモリ、５０…メモリダイヤル
【図１】
2004120560.tif 000003
【図２】
2004120560.tif 000004
【図３】
2004120560.tif 000005
【図４】
2004120560.tif 000006
【図５】
2004120560.tif 000007
【図６】
2004120560.tif 000008